【事件の表示】
　特願２０１６−　７７５１９号「遊技機」拒絶査定不服審判事件〔平成２９年１０月１９日出願公開、特開２０１７−１８９１８３号〕について、次のとおり審決する。
【結　論】
　本件審判の請求は、成り立たない。
【理　由】
第１　手続の経緯
　本願は、平成２８年４月７日の出願であって、平成２９年２月１０日付けで拒絶の理由が通知され、平成２９年４月１７日に意見書及び手続補正書が提出されたところ、平成２９年５月３１日付けで拒絶査定（以下「原査定」という。）がなされ、それに対して、平成２９年９月５日に拒絶査定不服審判の請求がなされると同時に手続補正がなされたものである。
　
第２　平成２９年９月５日付け手続補正についての補正の却下の決定
〔補正の却下の決定の結論〕
　平成２９年９月５日付け手続補正書についての補正（以下「本件補正」という。）を却下する。
　
〔理由〕
１　本件補正の内容
（１）本件補正は、特許請求の範囲についてするものであって、平成２９年４月１７日付け手続補正書によって補正された本件補正前の請求項１に、
「　遊技者が操作可能な操作手段を有する操作ユニットを、遊技機本体に着脱可能に装着した遊技機において、
　前記操作ユニットは、
第
　前記遊技機本体は、
前記操作ユニットの着脱方向とは異なる方向に前記第１基板から離れて配置される第２基板と、
前記第１基
板と
、を
　前記操作ユニット
を着脱する場合に、
とした
　ことを特徴とする遊技機。」とあったものを、
　
「　遊技者が操作可能な操作手段を有する操作ユニットを、遊技機本体に着脱可能に装着した遊技機において、
　前記操作ユニットは、
コネクタを有する第
　前記遊技機本体は、
前記操作ユニットの着脱方向とは異なる方向に前記第１基板から離れて配置される第２基板と、
前記第１基
板の前記コネクタと
、
前記第１基板の前記コネクタから前記係止部に至るまでの前記ハーネスを収容可能な収容空間部と、を
　前記操作ユニット
は、
前記ハーネスを前記係止部により係止した状態で前記遊技機本体から所定位置まで引き出し可能
であり、
　
前記係止部は、
前記収容空間部の奥側に備えた
　ことを特徴とする遊技機。」とする補正を含むものである（下線は合議体が付した。以下同様。）。
　
（２）本件補正後の請求項１に係る上記（１）の補正は、次の４つの補正事項アないしエからなる。
　ア　本件補正前の請求項１に係る発明を特定するために必要な事項である「第１基板」との記載を「コネクタを有する第１基板」とする補正
　
　イ　本件補正前の請求項１に係る発明を特定するために必要な事項である「前記第１基板と前記第２基板とを接続するハーネス」との記載を「前記第１基板の前記コネクタと前記第２基板とを接続するハーネス」とする補正。
　
　ウ　本件補正前の請求項１に係る発明を特定するために必要な事項である「遊技機本体」が「前記第１基板の前記コネクタから前記係止部に至るまでの前記ハーネスを収容可能な収容空間部」を備えるものとする補正。
　エ　本件補正前の請求項１に対して「前記係止部は、前記収容空間部の奥側に備えた」との記載を追加する補正。
２　本件補正の目的
（１）上記１（２）アの補正は、願書に最初に添付された特許請求の範囲、明細書及び図面（以下「当初明細書等」という。）の【００６３】、【００６４】、図７、図１４及び図２０等の記載に基づいて、本件補正前の請求項１において記載されていた「第１基板」が「コネクタを有する」ものに限定するものである。
　
（２）上記１（２）イの補正は、当初明細書等の【００３８】、【００３９】、【００６３】、【００８７】及び図７等の記載に基づいて、本件補正前の請求項１において記載されていた「ハーネス」が「第１基板の前記コネクタと前記第２基板とを接続する」ものに限定するものである。
　
（３）上記１（２）ウの補正は、当初明細書等の【００３８】、【００３９】及び図７等の記載に基づいて、本件補正前の請求項１において記載されていた「遊技機本体」が「前記第１基板の前記コネクタから前記係止部に至るまでの前記ハーネスを収容可能な収容空間部」を備えるものに限定するものである。
（４）上記１（２）エの補正は、当初明細書等の【００３９】及び図７等の記載に基づいて、「係止部」が「収容空間部の奥側に備えた」ものに限定するものである。
（５）以上のとおり、本件補正後の請求項１に係る上記１（２）アないしエの補正は、新規事項を追加するものではないから、特許法第１７条の２第３項に規定する要件を満たす。また、本件補正後の請求項１に係る上記１（２）アないしエの補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＥは、分説するため合議体が付した。
　
「Ａ　遊技者が操作可能な操作手段を有する操作ユニットを、遊技機本体に着脱可能に装着した遊技機において、
　Ｂ　前記操作ユニットは、
コネクタを有する第１基板を備え、
　Ｃ　前記遊技機本体は、
　Ｃ−１　前記操作ユニットの着脱方向とは異なる方向に前記第１基板から離れて配置される第２基板と、
　Ｃ−２　前記第１基板の前記コネクタと前記第２基板とを接続するハーネスを係止する係止部と、
　Ｃ−３　前記第１基板の前記コネクタから前記係止部に至るまでの前記ハーネスを収容可能な収容空間部と、
　を備え、
　Ｄ　前記操作ユニットは、
前記ハーネスを前記係止部により係止した状態で前記遊技機本体から所定位置まで引き出し可能であり、
　Ｃ−２−１　前記係止部は、
前記収容空間部の奥側に備えた
　Ｅ　ことを特徴とする遊技機。」
（２）引用例
　原査定の拒絶の理由に引用文献１として引用され、本願出願前に頒布された刊行物である特開２００８−２３７３５４号公報（以下「引用例」という。）には、次の事項が図とともに記載されている。
　ア　「【技術分野】
【０００１】
　本発明は、ノイズ対策が施されたパチンコ遊技機に関するものである。
【背景技術】
【０００２】
　・・・略・・・
【０００３】
　ところで、近年のパチンコ遊技機では、高級感や華やかさを高めるために扉枠等に装飾メッキが施されている。この装飾メッキは、クロムメッキや硬質金メッキ等の貴金属メッキである。
　・・・略・・・
【発明が解決しようとする課題】
【０００４】
　ところが、貴金属メッキは導電性を有しており、遊技者が扉枠に施された装飾メッキに触れると、遊技者に帯電した静電気が遊技者から装飾メッキに伝わり、その装飾メッキが施された近傍に配置された装飾部材に伝わる。そうすると、装飾部材にはＬＥＤ基板が取り付けられているため、その装飾メッキに伝わった静電気がＬＥＤ基板の表面である部品面に伝わり、この部品面に実装された表面実装タイプの発光ダイオードに伝わりやすくなる。この伝わった静電気がノイズとして、光透過性樹脂で封印された発光素子にリード端子を介して侵入すると、発光素子が破損するおそれがある。
【０００５】
　本発明は、このような事情に鑑みてなされたものであり、その目的とするところは、発光ダイオードの発光素子の破損を防止することができるパチンコ遊技機を提供することにある。
【課題を解決するための手段】
【０００６】
　上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
【０００７】
　（解決手段１）
　遊技球が発射装置により打ち出されて流下する遊技領域が形成された遊技盤と、合成樹脂によって成形され、かつ、前記遊技盤を遊技盤設置凹部に着脱自在に取り付ける本体枠と、合成樹脂によって成形され、かつ、前記本体枠の一側に開閉自在に軸支されて前記遊技盤の遊技領域を視認可能な遊技窓の周囲に光装飾を行う装飾部材が前面側に取り付けられる扉枠と、を備えるパチンコ遊技機であって、前記装飾部材は、少なくとも、表面である部品面に表面実装タイプの発光ダイオードが複数実装されたＬＥＤ基板と、該ＬＥＤ基板の表面である部品面に重なるように配置され、かつ、表裏全面に導電性の装飾メッキが施された装飾枠と、前記ＬＥＤ基板と前記装飾枠との間を所定間隔だけ離して電気的に切り離す非導電性のスペーサと、から構成されることを特徴とするパチンコ遊技機。」
　
　イ　「【発明を実施するための最良の形態】
【００２０】
［１．パチンコ遊技機の全体構造］
　以下、図面を参照して本発明の好適な実施形態について、図面を参照して説明する。まず、図１乃至図５を参照して実施形態に係るパチンコ遊技機の全体について説明する。図１は、実施形態に係るパチンコ遊技機１の外枠２に対して本体枠３を閉塞し、本体枠３に対して扉枠５を開放した状態を示す斜視図であり、図２は、パチンコ遊技機１の正面から見た斜視図であり、図３は、パチンコ遊技機１の正面図であり、図４は、パチンコ遊技機１の背面図であり、図５は、パチンコ遊技機１の平面図である。
【００２１】
　図１及び図２において、本実施形態に係る
パチンコ遊技機１
皿ユニット３００とを備えた扉枠５
　・・・略・・・
【００４５】
［１−２．扉枠］
　・・・略・・・
【００４６】
　図７、図８、図１６及び図１７に示すように、
扉枠５は、方形状に形成される扉枠本体１００の上部に縦長六角形状の遊技窓１０１が形成され、
遊技窓１０１の下方の板状部の前面に扉枠本体１００に皿ユニット３００が設けられ
扉枠５を構成する上記の各構成部材
【００４７】
［１−２−１．扉枠本体］
　図１６及び図１７に示すように、
扉枠本体１００は、合成樹脂によって額縁状に形成され、前述したように上方部に縦長六角形状の遊技窓１０１が形成され、その遊技窓１０１の下方が板状部となっている
　・・・略・・・
【００９１】
［１−２−６．装着台］
　
装着台２２０は
扉枠本体１００の板部裏面の上半分を覆うように取り付けられる
　・・・略・・・
【００９４】
［１−２−８．枠装飾中継基板］
　上記した
装着台２２０の下部の軸支側には
枠装飾中継基板２４０が取り付けられ
この枠装飾中継基板２４０は、
操作ボタンユニット３２６
からの配線が
接続され
【００９５】
［１−２−９．皿ユニット］
　次に、図３３乃至図５８を参照して皿ユニット３００の構成について説明する。図３７及び図３８に示すように、
皿ユニット３００は
外殻を構成するユニット枠３０１
前記ユニット枠３０１の上面に臨むように設けられる皿体３６０
と、から構成
【００９６】
　図３３、図３４、図３７、及び図３８に示すように、ユニット枠３０１は、上面が手前側に向って緩やかに傾斜する平面視半楕円形状の上面カバー部３０２と、該上面カバー部３０２の手前側から連続して前面と底面とを構成する前面カバー部３０３と、が合成樹脂によって一体的に成形されている。上面カバー部３０２の奥側には、扉枠本体１００の前面側に当接する垂直カバー部３０２ａも一体的に形成されている。この垂直カバー部３０２ａには、その中央に貸球ボタンユニット用開口３２３が開設され、この貸球ボタンユニット用開口３２３に貸球ユニット３２４が裏面側から装着し得るようになっている。貸球ユニット３２４は、パチンコ遊技機１に隣接して球貸し機が設けられている場合に、貸出指令を導出するスイッチや貸出残表示器等が設けられるものである。
【００９７】
　また、
上面カバー部３０２の垂直カバー部３０２ａの立ち上がり部から前方に皿体上面開口部３０５が開設され、その前方中央に操作ボタンユニット用凹空間部３０６が形成され
【００９８】
　上記した
操作ボタンユニット用凹空間部３０６には、空間部形成部材３１０が取り付けられ、該空間部形成部材３１０に操作ボタンユニット３２６が装着されるようになっている
操作ボタンユニット３２６を空間部形成部材３１０内に差し込んだときに操作ボタンユニット３２６の底面に設けられるコネクタ３２６ａ
と接続される配線のコネクタ３１０ａを収納する配線収納開口３１０ｂが形成されている
操作ボタンユニット３２６を空間部形成部材３１０に取り付けるためには、コネクタ３１０ａが設けられる配線を引き出して操作ボタンユニット３２６のコネクタ３２６ａと接続した後、操作ボタンユニット３２６を空間部内に挿入しつつ
ネジ３５１をネジ止め部３１１及び固定ネジ穴３２８に螺着することにより取り外しできないように固定する
操作ボタンユニット３２６を取り外す場合には、上記と逆の順序によって行うことができる
この複数の操作ボタン３２７は、
遊技内容に遊技者が参加する際に操作されるものである
　・・・略・・・
【０１１２】
　ところで、第２球抜ユニット３７１の通路主体３７２の奥側側壁に第２球抜通路部３７４と連通する長方形状の側面開口３８２が開設され、該側面開口３８２は、後述するように皿蓋体４３０の開口蓋取付窓４３２に着脱自在に取り付けられる視認窓３８４が形成された側面開口蓋３８３によって閉塞されるようになっている。なお、
皿体３６０の一端部と他端部であって
皿ユニット３００内に設けられる配線を整理するための配線処理用爪３８７が形成されている
　・・・略・・・
【図面の簡単な説明】
【０１３９】
　・・・略・・・
【図５３】
皿ユニットに設けられる操作ボタンユニット
　
　ウ　「【図３７】
　・・・略・・・
【図４６】
　・・・略・・・
【図５３】
　・・・略・・・
【図５８】
」
　エ　【００９８】（上記イ）の記載、及び、皿ユニットに設けられる操作ボタンユニットの斜視図である図５３（上記ウ）の記載から、技術常識に照らせば、
操作ボタンユニット３２６の底面の基板にコネクタ３２６ａを有する
　
　オ　上記アないしエからみて、引用例１には、次の発明が記載されている。なお、ａないしｅについては本願補正発明のＡないしＥに対応させて付与し、引用箇所の段落番号を併記した。
「ａ　皿ユニット３００を備えた扉枠５を含み、遊技内容に遊技者が参加する際に操作される操作ボタンユニット３２６がネジ止めにより取り外し可能に前記皿ユニット３００に設けられる、パチンコ遊技機１であって（【００２１】、【００９５】ないし【００９８】、【０１３９】）、
　ｂ　操作ボタンユニット３２６は、その底面にコネクタ３２６ａを有する基板を備え（【００９８】、上記エ）、
　ｃ　前記扉枠５は（【００４６】）、
　ｃ−１　前記扉枠５を構成する扉枠本体１００の下方の板部裏面の上半分を覆うように取り付けられた装着台２２０の下部の軸支側に取り付けられ、操作ボタンユニット３２６からの配線が接続された枠装飾中継基板２４０と（【００４６】、【００９１】、【００９４】）、
　ｃ−２　前記皿ユニット３００を構成する皿体３６０の一端部と他端部であって、配線を整理するために形成された配線処理用爪３８７と（【００９５】、【０１１２】）、
　を備えるとともに、
　ｃ−３　前記配線が皿ユニット３００内に設けられたものであり（【０１１２】）、
　ｄ　前記操作ボタンユニット３２６は、コネクタ３１０ａが設けられる配線を引き出して該操作ボタンユニット３２６のコネクタ３２６ａと接続した後、前記皿ユニット３００の中央の空間部内に挿入するものであり（【００９８】）、
　ｃ−２−１　前記配線処理用爪３８７が形成される皿体３６０は、皿ユニット３００の外殻を構成するユニット枠３０１の上面に臨むように設けられ（【００９５】、【０１１２】）、
　ｅ　パチンコ遊技機１。」（以下「引用発明」という。）
（３）対比
　ア　本願補正発明と引用発明とを対比する。なお、以下の見出し（ａ）ないし（ｅ）は、本願補正発明のＡないしＥに対応させている。
　（ａ）引用発明の「遊技内容に遊技者が参加する際に操作される操作ボタンユニット３２６」及び「パチンコ遊技機１」は、それぞれ本願補正発明の「遊技者が操作可能な操作手段を有する操作ユニット」及び「遊技機」に相当する。また、引用発明の「皿ユニット３００を備えた扉枠５」は、その皿ユニット３００に操作ボタンユニット３２６（操作ユニット）が設けられるのであるから、本願補正発明の「遊技機本体」に相当することは明らかである。また、引用発明は、操作ボタンユニット３２６（操作ユニット）がネジ止めにより取り外し可能に皿ユニット３００（遊技機本体）に設けられているから、本願補正発明の「遊技者が操作可能な操作手段を有する操作ユニットを、遊技機本体に着脱可能に装着した」との構成を備えることは明らかである。してみると、引用発明の特定事項ａは、本願補正発明Ａに相当する。
　（ｂ）引用発明の「コネクタ３２６ａ」及び「基板」は、それぞれ本願補正発明の「コネクタ」及び「第１基板」に相当する。引用発明の特定事項ｂは、操作ボタンユニット３２６（操作ユニット）が、その底面にコネクタ３２６ａ（コネクタ）を有する基板（第１基板）を備えているから、本願補正発明の特定事項Ｂに相当する。
　（ｃ）上記（ａ）のとおり、引用発明の「皿ユニット３００を備えた扉枠５」は、本願補正発明の「遊技機本体」に相当する。
　（ｃ−１）引用発明の「枠装飾中継基板２４０」は、本願補正発明の「第２基板」に相当する。引用発明において、枠装飾中継基板２４０（第２基板）は、前記扉枠５を構成する扉枠本体１００の下方の板部裏面の上半分を覆うように取り付けられた装着台２２０の下部の軸支側に取り付けられているものである。他方、操作ボタンユニット３２６（操作ユニット）は、下記（ｄ）でも後述するように、皿ユニット３００の中央の空間部内に挿入されるものである。そうすると、操作ボタンユニット３２６（操作ユニット）と、枠装飾中継基板２４０（第２基板）とは、水平方向に離間して配置されていることが明らかであり、当該配置方向が、操作ボタンユニット３２６（操作ユニット）の挿入方向と異なることは明らかである。してみると、引用発明の特定事項ｃ−１は、本願補正発明の特定事項Ｃ−１に相当する。
　（ｃ−２）引用発明の「配線」は、本願補正発明の「ハーネス」に相当する。引用発明の「配線処理用爪３８７」は、皿体３６０の一端部と他端部に、配線を整理するために形成されたものであるから、技術的にみて、配線（ハーネス）を係止するものであり、本願補正発明の「係止部」に相当することは明らかである。してみると、引用発明の特定事項ｃ−２と、本願補正発明の特定事項Ｃ−２とは、「ハーネスを係止する係止部」を備える点で一致する。
　（ｃ−３）引用発明において、配線（ハーネス）は、皿ユニット３００内に設けられたものであり、該皿ユニット３００は、外殻を構成するユニット枠３０１と、前記ユニット枠３０１の上面に臨むように設けられる皿体３６０とを含むものであり、内部空間を有し、該内部空間に配線（ハーネス）が収容されていることは明らかである。また、配線処理用爪３８７（係止部）が形成される皿体３６０は、皿ユニット３００の外殻を構成するユニット枠３０１の上面に臨むように設けられたものであり、後述する下記（ｃ−２−１）にも関連するが、配線処理用爪３８７（係止部）が皿ユニット３００から露出するものではないことが明らかである。してみると、引用発明の特定事項ｃ−３と、本願補正発明の特定事項Ｃ−３とは、「前記ハーネスを収容可能な収容空間部」を備える点で一致する。
　（ｄ）引用発明において、操作ボタンユニット３２６（操作ユニット）は、コネクタ３１０ａが設けられる配線（ハーネス）を引き出して該操作ボタンユニット３２６のコネクタ３２６ａ（コネクタ）と接続した後、前記皿ユニット３００の中央の空間部内に挿入するものであるとともに、上記（ａ）のように、取り外しも可能であるから、引用発明の特定事項ｄと、本願補正発明の特定事項Ｄとは、「前記操作ユニットは、前記遊技機本体から所定位置まで引き出し可能であ」る点で一致する。
　（ｃ−２−１）上記（ｃ−３）のように、引用発明の配線処理用爪３８７（係止部）は、皿ユニット３００から露出するものではないことが明らかであるから、引用発明の特定事項ｃ−２−１と、本願補正発明の特定事項Ｃ−２−１とは、「前記係止部は、前記収容空間部に備えた」点で一致する。
　（ｅ）上記（ａ）のとおり、引用発明の「パチンコ遊技機１」は、本願補正発明の「遊技機」に相当する。
　イ　上記アからみて、本願補正発明と引用発明とは、
「Ａ　遊技者が操作可能な操作手段を有する操作ユニットを、遊技機本体に着脱可能に装着した遊技機において、
　Ｂ　前記操作ユニットは、
コネクタを有する第１基板を備え、
　Ｃ　前記遊技機本体は、
　Ｃ−１　前記操作ユニットの着脱方向とは異なる方向に前記第１基板から離れて配置される第２基板と、
　Ｃ−２’ハーネスを係止する係止部と、
　Ｃ−３’前記ハーネスを収容可能な収容空間部と、を備え、
　Ｄ’　前記操作ユニットは、
　前記遊技機本体から所定位置まで引き出し可能であり、
　Ｃ−２−１’　前記係止部は、
前記収容空間部に備えた
　Ｅ　遊技機。」である点で一致し、次の点で相違する。
　・相違点１（特定事項Ｃ−２）
　「係止部」に「係止」される「ハーネス」が、
　本願補正発明では、「前記第１基板の前記コネクタと前記第２基板とを接続する」ものであるのに対し、
　引用発明では、基板（第１基板）のコネクタ３２６ａ（コネクタ）と枠装飾中継基板２４０（第２基板）とを接続するものかどうか明らかでない点
　・相違点２（特定事項Ｃ−３）
　「収容空間部」に「収容可能」な「ハーネス」が、
　本願補正発明では、「前記第１基板の前記コネクタから前記係止部に至るまでの」ものであるのに対し、
　引用発明では、基板（第１基板）のコネクタ３２６ａ（コネクタ）から配線処理用爪３８７（係止部）に至るまでのものかどうか明らかでない点。
　・相違点３（特定事項Ｄ）
　「前記操作ユニット」が「前記遊技機本体から所定位置まで引き出し可能」であるのが、
　本願補正発明では、「前記ハーネスを前記係止部により係止した状態」においてであるのに対し、
　引用発明では、操作ボタンユニット３２６（操作ユニット）のコネクタ３２６ａ（コネクタ）と枠装飾中継基板２４０（第２基板）とを接続した配線（ハーネス）を配線処理用爪３８７（係止部）に係止した状態においてであるかどうかが明らかでない点。
　・相違点４（特定事項Ｃ−２−１）
　「係止部」が、
　本願補正発明では、「前記収容空間部の奥側に備えた」ものであるのに対し、
　引用発明では、皿ユニット３００を構成する皿体３６０の一端部と他端部に形成されたものであり、皿ユニット３００内の奥側に備えたものであるといえるかどうか明らかでない点。
　
（４）判断
　ア　相違点１ないし３について、まとめて検討する。
　（ア）引用発明において、配線処理用爪３８７（係止部）は、皿ユニット３００内に設けられる配線を整理するためのものであるところ、該配線が皿ユニット３００内の全ての配線であるのか、それとも、いずれか一部の配線であるのか、一部の配線である場合、どの配線であるのかは具体的に明らかでない。
　一方、操作ボタンユニット３２６（操作ユニット）が扉枠５の遊技者側（表側）に位置し、枠装飾中継基板２４０（第２基板）が扉枠５の遊技者側の反対側（裏側）に位置するものであるから、操作ボタンユニット３２６（操作ユニット）の基板のコネクタ３２６ａ（コネクタ）と枠装飾中継基板２４０（第２基板）とを接続する配線（以下「特定配線」という。）は、扉枠５を介して遊技機の前後方向（表裏方向）に案内されなければならない。
　そうすると、特定配線を前後方向に案内、すなわち係止するために、皿体３６０の一端部と他端部に設けられた配線処理用爪３８７（係止部）を用いること、換言すると、配線処理用爪３８７（係止部）に係止される配線（ハーネス）が特定配線であるようになすことは当業者が適宜なし得たことである。
　（イ）上記（ア）のように、特定配線が配線処理用爪３８７（係止部）に係止されるのであれば、特定配線のうち、基板（第１基板）のコネクタ３２６ａ（コネクタ）から配線処理用爪３８７（係止部）に至るまでの配線部分（ハーネス）についても、皿ユニット３００内、すなわち収容空間部に収容可能であること、換言すると、収容空間部に収容可能な配線（ハーネス）が、コネクタ３２６ａ（コネクタ）から配線処理用爪３８７（係止部）に至るまでのものであることは当業者に自明である。
　（ウ）上記（ア）のように、特定配線が配線処理用爪３８７（係止部）に係止されるのであれば、操作ボタンユニット３２６（操作ユニット）が所定位置まで引き出し可能であるのは、特定配線が配線処理用爪３８７（係止部）に係止された状態においてであることは当業者に自明である。
　（エ）以上のとおり、引用発明において、上記相違点１ないし３に係る本願補正発明の構成となすことは当業者が適宜なし得たことである。
　イ　相違点４について検討する。
　（ア）遊技機において、配線を収容空間部の奥側に係止することは周知（以下「周知技術」という。例．特開平１１−１７９０２２号公報（【０００１】、【００２４】、図１０参照。）、特開平１１−３１９２６６号公報（【０００１】、【００１７】ないし【００２０】、図４、図５、図７参照。）、特開２００２−６６０６３号公報（【０００１】、【０００９】ないし【００１２】、図２、図３参照。））
　（イ）引用発明は、皿ユニット３００を構成する皿体３６０の一端部と他端部に配線処理用爪３８７（係止部）を設けたものであるものの、その配線処理用爪３８７の位置が皿ユニット３００の遊技者側（前方側）であるのか、遊技者側とは反対側（奥側）であるのか特定できない。しかしながら、配線の係止部を設ける箇所を如何にするかは、該配線の周囲の部材の形状や配置等の事情に応じて当業者が適宜決定し得る事項であり、上記（ア）の周知技術に接した当業者であれば、引用発明において、上記相違点４に係る本願補正発明の構成となすことは容易になし得たことである。
　ウ　本願補正発明の奏する効果は、引用発明の奏する効果及び周知技術の奏する効果から予測することができた程度のものである。
　エ　審判請求人の主張について
　（ア）審判請求人は、審判請求書において、概略、以下のように主張している。
　　ａ　本願補正発明では、係止部が収容空間部の奥側にあり、この係止部により収容空間部の奥側のハーネスを係止できるため、ハーネスを係止部により係止した状態で操作ユニットが遊技機本体から所定位置まで引き出し可能であるにも拘わらず、操作ユニットを装着する際に、係止部から手前側のハーネスを収容空間内に押し込むときに、係止部から第２基板側のハーネスが邪魔になることがなく、係止部から手前側のハーネスを収容空間内に容易に収容することが可能であり、操作ユニットの装着を容易にできる利点があること。
　　ｂ　引用文献１に記載の発明では、配線収納開口３１０ｂから手前側のハーネスを配線収納開口３１０ｂを経て収容空間内に押し込む際に、配線収納開口３１０ｂから奥側のハーネスが邪魔になったり、配線収納開口３１０ｂの手前側のハーネスと奥側のハーネスとが収容空間内で錯綜したりする等により、配線収納開口３１０ｂから手前側のハーネスの収納が容易ではないという問題があること。 
　（イ）しかしながら、上記イのとおり、引用発明において、上記相違点４に係る本願補正発明の構成となした際に、係止部から第２基板側のハーネスが邪魔になることがなく、係止部から手前側のハーネスを収容空間内に容易に収容することが可能となることは明らかである。
　
（５）独立特許要件のむすび
　以上のとおりであるから、本願補正発明は、当業者が引用例１に記載された発明及び周知技術に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明は、平成２９年４月１７日付けで補正された特許請求の範囲の請求項１に記載された事項によって特定されるものであるところ、請求項１に係る発明は、上記第２〔理由〕１（１）に本件補正前の請求項１として記載したとおりのものである。
　
２　原査定の理由の概略
　この出願の平成２９年４月１７日付けの手続補正書により補正された請求項１に係る発明は、その出願前に日本国内又は外国において頒布され又は電気通信回線を通じて公衆に利用可能となった下記引用文献に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１．特開２００８−２３７３５４号公報
　配線を係止部にて係止する点は、例示するまでも無い周知技術であり、当該周知技術を引用文献１に記載された発明に適用することが当業者にとって格別困難であるという事情は見当たらないから、引用文献１に記載された発明に当該周知技術を適用して、操作ボタンユニット３２６が有する基板と枠装飾中継基板２４０とを接続する配線を係止する係止部を設けることは、当業者であれば容易に想到できたものである。
３　引用文献
（１）引用文献１（引用例）の記載事項は、上記第２〔理由〕３（２）に記載したとおりである。
　
４　対比・判断
　本願補正発明は、上記「第２〔理由〕１（２）」のとおり、本願発明を特定するために必要な事項を限定したものである。
　そうすると、本願発明の構成要件をすべて含み、さらに限定を付加したものに相当する本願補正発明が、上記「第２〔理由〕４」に記載したとおり、当業者が引用文献１に記載された発明に基づいて容易に発明をすることができたものであるから、本願発明も同様の理由により、当業者が引用文献１に記載された発明及び周知技術に基づいて容易に発明をすることができたものである。
　
５　むすび
　本願発明は、以上のとおり、当業者が引用文献１に記載された発明及び周知技術に基づいて容易に発明をすることができたものであるから、特許法第２９条第２項の規定により特許を受けることができない。
　したがって、本願は、拒絶すべきものである。
　よって、結論のとおり審決する。